(57)【要約】【課題】原稿を自動で搬送し真贋判別を行う場合に、判別した真または偽の原稿の取り出しを容易に行うことができる真贋判別装置および画像読取装置を提供する。【解決手段】複合機は、自動原稿送り装置により原稿を１枚ずつ給紙・搬送してスキャナ部により原稿を読み取り（Ｓ１１２）、原稿の真贋判別を行う（Ｓ１１３）。原紙を検知した場合には（Ｓ１１５；Ｙｅｓ）、自動原稿送り装置の動作を停止すると共に（Ｓ１１６）、その原紙の位置を報知する（Ｓ１１８／Ｓ１２３）。【選択図】図６
2010220117.tif 000002
【特許請求の範囲】
【請求項１】
原稿を１枚ずつ搬送して排出先へ排出する搬送部と、
前記搬送部によって搬送される原稿の真贋判別を行う真贋判別部と、
前記真贋判別部による真贋判別で真および偽の原稿のうちの予め定められた一方が検知された場合に前記搬送部の動作を停止する制御部と、
を備える
ことを特徴とする真贋判別装置。
【請求項２】
前記検知された原稿の前記搬送部の動作停止による位置を報知する報知部を備える
ことを特徴とする請求項１に記載の真贋判別装置。
【請求項３】
前記制御部は、前記検知された原稿が前記排出先へ排出完了される前に前記搬送部の動作を停止する
ことを特徴とする請求項１または２に記載の真贋判別装置。
【請求項４】
請求項１乃至３のいずれか１つに記載の真贋判別装置と、
前記搬送部によって搬送される原稿の画像を読み取る読取部と、
を備える
ことを特徴とする画像読取装置。
【発明の詳細な説明】
【技術分野】
【０００１】
本発明は、原稿を読み取って原紙であるか複写物であるかといった真贋を判別する機能を備えた真贋判別装置および画像読取装置に関する。
【背景技術】
【０００２】
複写機のカラー化と高画質化によって、肉眼では原紙と複写物（複写された用紙）を見分けることが難しくなり、それらが混在したりすると原紙が分からなくなって困るようなことがある。そこで、このような原紙と複写物を判別する真贋判別技術が存在している。
【０００３】
たとえば、特許文献１には、朱肉で押印された帳票などの原稿に対し、原稿を読み取るために光源から原稿に照射して反射した光をカラー対応の受光素子で受光し、受光素子から出力されるカラー画像信号（ＲＧＢ信号）に基づいて印影画像を構成する画素の色を調べることにより真贋を判別する技術が開示されている。詳細には、印影画像が朱色の画素で構成されている場合は原紙であると判定し、複写印刷においてカラー画像を表現するために使用される複数の補色の画素、この場合は朱色を表現するマゼンタの画素とイエローの画素で構成されている場合は複写物であると判定するようにしている（「従来の技術」に記載）。さらに、原稿からの光をスペクトル分解して受光することにより、原稿の読み取り解像度を高くしなくても、単色の画素で構成されたカラー画像と複数の補色の画素で構成されたカラー画像とを識別できるようにして原稿の真贋判別を可能にする技術が開示されている（「発明の実施の形態」に記載）。
【先行技術文献】
【特許文献】
【０００４】
【特許文献１】特開２００２−２１８１５８号公報
【発明の概要】
【発明が解決しようとする課題】
【０００５】
上記のような原稿の真贋判別を自動給紙方式で行う場合には、たとえば、原紙と複写物の混在する原稿（紙束）などを自動原稿送り装置などで１枚ずつ連続的に給紙・搬送しながら各原稿の真贋判別が行えるので効率良く処理することができる。しかし、全原稿の排出完了後にその結果（原紙または複写物の位置など）を報知するような構成にすると、排出先で混載された原稿の中の原紙または複写物を探し出さなければならなくなるため不便である。
【０００６】
本発明は、上記の問題を解決しようとするものであり、原稿を自動で搬送し真贋判別を行う場合に、判別した真または偽の原稿の取り出しを容易に行うことができる真贋判別装置および画像読取装置を提供することを目的としている。
【課題を解決するための手段】
【０００７】
かかる目的を達成するための本発明の要旨とするところは、次の各項の発明に存する。
【０００８】
［１］原稿を１枚ずつ搬送して排出先へ排出する搬送部と、
前記搬送部によって搬送される原稿の真贋判別を行う真贋判別部と、
前記真贋判別部による真贋判別で真および偽の原稿のうちの予め定められた一方が検知された場合に前記搬送部の動作を停止する制御部と、
を備える
ことを特徴とする真贋判別装置。
【０００９】
上記発明では、搬送部は原稿を１枚ずつ搬送して排出先へ排出し、真贋判別部はこの搬送される原稿の真贋判別を行う。そして、真の原稿（原紙）と偽の原稿（複写物など）のうちの予め定められた一方を検知した場合には、搬送部の動作を停止する。搬送部の動作が停止されると、たとえば、次の原稿が搬送可能であっても搬送待ち状態となり、検知された真または偽の原稿は搬送途中で停止、あるいは、排出先へ排出された状態となる。これにより、その検知（判別）された真または偽の原稿の取り出しが容易になる。
【００１０】
［２］前記検知された原稿の前記搬送部の動作停止による位置を報知する報知部を備える
ことを特徴とする［１］に記載の真贋判別装置。
【００１１】
上記発明では、予め定められた真または偽の原稿が検知されて搬送部の動作が停止された場合に、その搬送部の動作停止によるその原稿の位置を報知することで、その原稿の位置が明確に分かるようになり、取り出し者の誤認識などが生じにくくなる。
【００１２】
［３］前記制御部は、前記検知された原稿が前記排出先へ排出完了される前に前記搬送部の動作を停止する
ことを特徴とする［１］または［２］に記載の真贋判別装置。
【００１３】
上記発明では、検知された真または偽の原稿は排出先への排出が完了する前に停止されることで、排出先で他の原稿と混載されることがなくなる。これにより、先に排出された他の原稿を排出先から取り除いた後に上記の検知された原稿を排出するなどにより、他の原稿と検知された原稿を分離して取り出すことができ、これらの原稿が排出先で混ざってしまい再び分かりにくくなるようなことを防止することができる。
【００１４】
［４］［１］乃至［３］のいずれか１つに記載の真贋判別装置と、
前記搬送部によって搬送される原稿の画像を読み取る読取部と、
を備える
ことを特徴とする画像読取装置。
【００１５】
上記発明では、画像読取装置に原稿の真贋判別を行う機能（真贋判別装置）を備える場合に、真贋判別を行うために原稿を搬送する搬送部と、原稿の画像を読み取るために原稿を搬送する搬送部とを兼用することで、装置を小型かつ安価に構成することができる。
【発明の効果】
【００１６】
本発明の真贋判別装置および画像読取装置によれば、原稿を自動で搬送し真贋判別を行う場合に、判別した真の原稿または偽の原稿の取り出しを容易に行うことができるので、利便性が向上する。
【図面の簡単な説明】
【００１７】
【図１】本発明の実施の形態に係る画像読取装置としての複合機の概略構成を示すブロック図である。
【図２】本発明の実施の形態に係る複合機の操作表示部に真贋判別ボタンをソフトボタンとして設けた場合の一例を示す図である。
【図３】本発明の実施の形態に係る複合機の操作表示部に真贋判別ボタンをハードボタンとして設けた場合の一例を示す図である。
【図４】本発明の実施の形態に係る複合機が備える自動原稿送り装置の構成例を示す図である。
【図５】本発明の実施の形態に係る複合機が行うメイン処理を示す流れ図である。
【図６】図５のメイン処理における真贋判別処理を示す流れ図である。
【図７】図５のメイン処理におけるコピー処理を示す流れ図である。
【図８】図４の自動原稿送り装置における動作例を示す図である。
【図９】原稿の真贋判別により検知された原紙が自動原稿送り装置の排出ローラに挟まれた状態で停止している場合に操作表示部に表示される画面の一例を示す図である。
【図１０】原稿の真贋判別により検知された原紙が自動原稿送り装置の排出トレイに排紙されている場合に操作表示部に表示される画面の一例を示す図である。
【発明を実施するための形態】
【００１８】
以下、図面に基づき本発明の実施形態を説明する。
【００１９】
図１は、本発明の実施の形態に係る複合機（ＭＦＰ；Multi Function Peripheral/Multi Function Printer）１０の概略構成を示している。複合機１０は、原稿のカラーコピー機能、カラープリンタ機能、カラースキャナ機能、ファクシミリ機能、電子メール機能（メール送受信機能）、ファイル転送機能、ＢＯＸ機能、原稿の真贋判別機能などを備えたデジタルカラー複合機と呼ばれる装置（画像読取装置）である。
【００２０】
ファクシミリ機能としては、スキャンデータなどを公衆回線を通じてファクシミリ送受信するほかに、電子メールに添付してインターネットを通じて送受信するインターネットファクシミリ機能（Ｉ−Ｆａｘ機能）などを備えている。ファイル転送機能としては、スキャンデータを電子メールに添付して転送するScan to E-mail機能、スキャンデータをクライアント端末に転送して保存するScan to ＳＭＢ（Server Message Block）機能、スキャンデータをＦＴＰ（File Transfer Protocol）サーバに転送して保存するScan to ＦＴＰ機能などを備えている。ＢＯＸ機能におけるＢＯＸとは、ユーザ別やグループ別、テーマ別などにカテゴリ分けして設けられたファイルの格納場所である。ＢＯＸ機能は、スキャンデータなどのファイルをこのＢＯＸ毎に保存して管理する機能である（Scan to ＢＯＸ機能）。
【００２１】
原稿の真贋判別機能とは、スキャナ機能を用いて原稿を読み取りその原稿が原紙であるか複写物であるかを判別する機能である。この原紙と複写物の区別は、真贋判別の方法などに依存している。たとえば、原稿をスキャンして得られた画像データに基づき、単色の画素で構成されたカラー画像と、イエロー、マゼンタ、シアンなどの複数の補色の画素で構成されたカラー画像とを識別して真贋判別を行う方法を用いるのであれば、前者のカラー画像を含む原稿を「原紙」、後者のカラー画像を含む原稿を「複写物」に区別した真贋判別を行うことができる。この場合の原紙としては、たとえばカラーの塗料で形成されたカラー画像を含む原稿（用紙）などが挙げられる。具体的には、手書きや印刷（複写印刷を含む）による文書などに朱肉で印章が押された書類、色彩画、色彩版画などがこの場合の原紙に含まれる。またこの場合の複写物としては、上記の原紙をカラー複写機などによってカラーで複写印刷した原稿（用紙）などが挙げられる。
【００２２】
複合機１０は、制御部としてのＣＰＵ（Central Processing Unit）１１に、バス１２を介してＲＯＭ（Read Only Memory）１３と、ＲＡＭ（Random Access Memory）１４と、不揮発メモリ１５と、ハードディスク装置１６（図中、ＨＤＤ；Hard Disk Driveと表記）と、操作表示部１７と、ファクシミリ通信部１８と、ネットワーク通信部１９と、原稿送り装置制御部２０と、スキャナ部２１と、画像処理部２２と、プリンタ部２３とを接続して構成される。
【００２３】
ＣＰＵ１１は、ＲＯＭ１３に格納されているプログラムに基づいて複合機１０の動作を制御する。ＲＡＭ１４はＣＰＵ１１がプログラムを実行する際に各種データを一時的に格納するワークメモリとして使用されるほか、画像データを一時的に保存するための画像メモリなどにも使用される。
【００２４】
不揮発メモリ１５は、電源がオフされても記憶が保持されるメモリであり、装置固有の情報や各種の設定情報などが記憶される。ハードディスク装置１６は、複合機１０を動作させるオペレーティングシステム（Operating System；ＯＳ）や複合機１０の各種機能を動作させるアプリケーションプログラム、各種の保存データなどを格納するほか、原稿のスキャンやコピーにおける画像データ、図示しないパーソナルコンピュータなどの端末から依頼された印刷における画像データ（印刷データ）なども保存する。
【００２５】
操作表示部１７は、各種の画面を表示する表示部としての機能と、ユーザなどが複合機１０に対して行う各種の操作を受け付ける操作部としての機能とを果たす。ここでは、操作表示部１７は液晶ディスプレイとその画面上に設けられたタッチパネル（以下では「タッチパネルディスプレイ」と呼ぶ）と、各種のボタン類とで構成される。
【００２６】
ファクシミリ通信部１８は、ファクシミリ機能を備えた外部装置と公衆回線を通じて通信する機能を果たす。ネットワーク通信部１９は、パーソナルコンピュータなどの端末やサーバなどとＬＡＮ（Local Area Network）などのネットワークを通じて通信する機能を果たす。ネットワーク通信部１９による通信には、インターネットファクシミリ機能による電子メールの送受信やファイル転送機能（Scan to ＸＸＸ機能）によるスキャンデータの転送などが含まれる。原稿送り装置制御部２０は、後述する自動原稿送り装置（Auto Document Feeder；ＡＤＦ）の動作を制御する機能を果たす。
【００２７】
スキャナ部２１は、原稿を光学的に読み取ってカラーの画像データを取得する機能を果たす。詳細には、原稿の画像を光学的に読み取り、イエロー（Yellow；Ｙ）、マゼンタ（Magenta；Ｍ）、シアン（Cyan；Ｃ）、ブラック（blacK；Ｋ）の４つの基本色について色別の画像データを出力する機能を備えている。このうち、イエロー、マゼンタ、シアンがカラー画像を表現する３つの補色となる。スキャナ部２１は、たとえば、原稿に光を照射する光源と、原稿からの反射光を受光して原稿を幅方向に１ライン分読み取るカラータイプのイメージセンサと、原稿からの反射光をイメージセンサに導いて結像させるレンズやミラーからなる光学経路などで構成される。画像処理部２２は画像データに対して、画像補正、回転、拡大／縮小、圧縮／伸張など各種の画像処理を施す機能を果たす。
【００２８】
プリンタ部２３は、入力された画像データに対応する画像を用紙にカラーで印刷して出力する機能を果たす。たとえば、用紙の搬送装置と、感光体ドラムと、帯電装置と、レーザーユニットと、現像装置と、転写分離装置と、クリーニング装置と、定着装置などを備え、電子写真プロセスによって用紙上にカラー画像を形成するカラーレーザープリンタなどとして構成される。
【００２９】
ＣＰＵ１１はプログラムを実行することで、複合機１０の動作モードをユーザによって選択されたプリンタモード、スキャナモード、ファクシミリモード、コピーモード、真贋判別モードなどに切り替え、そのモードで複合機１０を動作させる機能を果たす。また真贋判別モードでは、スキャナ部２１で画像を読み取った原稿の真贋判別を行う真贋判別部としての機能を果たす。原稿の真贋判別、すなわち、原稿が原紙であるか複写物であるかの判別については、「背景技術」に記載したようなカラー画像を構成する画素の色を分析して行うなどの既存の各種の技術を用いることができる。
【００３０】
また、ＣＰＵ１１はプログラムを実行することで、ユーザによって選択された真贋判別モードにおいて、スキャナ部２１で取得された原稿の画像データを解析し、スキャナ部２１で連続して読み取られた原稿の画像が酷似していないと判断した場合に、ユーザにコピーモードへの切り替えを問い合わせて了解が得られればその切り替えを行う機能と、ユーザによって選択されたコピーモードにおいて、スキャナ部２１で取得された原稿の画像データを解析し、スキャナ部２１で連続して読み取られた原稿の画像が酷似していると判断した場合に、ユーザに真贋判別モードへの切り替えを問い合わせて了解が得られればその切り替えを行う機能とを果たす。
【００３１】
この両モードの間で切り替えを行う機能は、ユーザによる両モード間での切り替え操作をアシスト（補助）する機能である。詳細には、ユーザによって選択された真贋判別モードにおいて、連続して読み取った原稿の画像データを解析した結果、真贋判別モードで処理すべき原稿ではないと判断した場合に、ユーザに対してコピーモードへの切り替えをアシストし、ユーザによって選択されたコピーモードにおいて、連続して読み取った原稿の画像データを解析した結果、コピーモードで処理すべき原稿ではないと判断した場合に、ユーザに対して真贋判別モードへの切り替えをアシストする機能である。本機能は、以下では「モード切替アシスト機能」と言う。
【００３２】
また、画像が酷似しているか否かの判断は、たとえば、画像データの類似度を算出する汎用のアルゴリズムを用いて対象となる複数の画像データの類似度を算出し、類似度が所定の閾値未満の画像データ同士は画像が酷似していないと判断し、類似度が所定の閾値以上の画像データ同士は画像が酷似していると判断するなどにより行う。
【００３３】
操作表示部１７には、上述したプリンタモード、スキャナモード、ファクシミリモード、コピーモードの選択を受け付けるそれぞれのモード選択ボタン（ハードボタン）のほかに、真贋判別モードの選択を受け付ける真贋判別ボタン（原紙判別ボタン）が設けられている。真贋判別ボタンは、操作表示部１７のタッチパネルディスプレイに表示したソフトボタンとして設けてもよく、操作表示部１７にハードボタンとして設けてもよい。
【００３４】
図２は、操作表示部１７に真贋判別ボタンをソフトボタンとして設けた場合の一例を示している。操作表示部１７は、タッチパネルディスプレイ５０と、各種のハードボタンとを備えている。ハードボタンは、プリンタモードの選択を受け付けるプリンタボタン５１と、スキャナモードの選択を受け付けるスキャナボタン５２と、ファクシミリモードの選択を受け付けるファクシミリボタン５３と、コピーモードの選択を受け付けるコピーボタン５４と、スタートボタン５５などである。ここでは、スキャナボタン５２の押下によってスキャナモードが選択されると、タッチパネルディスプレイ５０にはソフトボタンとして、Scan to E-mailモードの選択を受け付けるScan to E-mailボタン５６と、Scan to ＦＴＰモードの選択を受け付けるScan
to ＦＴＰボタン５７と、Scan to ＢＯＸモードの選択を受け付けるScan to ＢＯＸボタン５８と、真贋判別ボタン５９が表示される。この真贋判別ボタン５９が押下されると、複合機１０は真贋判別モードに切り替わる。
【００３５】
図３は、操作表示部１７に真贋判別ボタンをハードボタンとして設けた場合の一例を示している。この操作表示部１７は、図２で説明したモード選択ボタン（５１〜５３）に、真贋判別モードの選択を受け付ける真贋判別ボタン５９がハードボタンとして追加されている。本例の場合も、この真贋判別ボタン５９が押下されると、複合機１０は真贋判別モードに切り替わる。
【００３６】
図４は、複合機１０が備える自動原稿送り装置７０（ＡＤＦ）の構成例を示している。
【００３７】
自動原稿送り装置７０は、スキャナ部２１による読取位置Ｓに原稿Ｎを自動で送り込む機能を果たす。自動原稿送り装置７０は、原稿Ｎが積載される原稿トレイ７１と、原稿トレイ７１に積載された原稿Ｎをスキャナ部２１の読取位置Ｓに案内し排出するための搬送通路７２と、原稿トレイ７１に積載された原稿Ｎをピックアップするピックアップローラ（給紙ローラ）７３と、ピックアップされた原稿Ｎを１枚ずつ送り出す一対のフィードローラ７４およびリタードローラ７５と、送り出された原稿Ｎを搬送通路７２に沿って搬送する複数対の搬送ローラ７６と、原稿Ｎを搬送通路７２から排出する一対の排出ローラ７７と、原稿送り装置制御部２０に制御されて各ローラを回転駆動する図示しない複数のモータと、原稿Ｎを検知しその検知信号を原稿送り装置制御部２０に入力する複数の原稿検知センサ７８と、スキャナ部２１による読み取りの済んだ原稿Ｎが搬送通路７２から排出ローラ７７によって排出される排出トレイ７９とを備えている。
【００３８】
自動原稿送り装置７０は、原稿送り装置制御部２０に制御されて、ピックアップローラ７３が所定方向へ回転され、原稿トレイ７１に積載された原稿Ｎをピックアップしてフィードローラ７４とリタードローラ７５の間に送り込む。フィードローラ７４およびリタードローラ７５は、重なり合って送り込まれた複数枚の原稿Ｎに対し、リタードローラ７５がピックアップローラ７３と逆方向に回転して下側の原稿Ｎの送り出しを抑えつつ、フィードローラ７４がピックアップローラ７３と同方向に回転して一番上の１枚の原稿Ｎのみを搬送通路７２に送り出す。搬送ローラ７６は、送り出された原稿Ｎを搬送通路７２に沿ってスキャナ部２１の読取位置Ｓに送り込み、読取位置Ｓを通過させる。排出ローラ７７は、スキャナ部２１による読み取りが済んだ原稿Ｎを搬送通路７２から排出トレイ７９に排出する。また、排出する原稿Ｎの位置を原稿検知センサ７８によって検知することにより、次の原稿Ｎの送り出しタイミングなどが制御されるようになっている。
【００３９】
次に、複合機１０が行う処理の内容（モード切替制御）を図５〜図７に示すフローチャートに基づいて説明する。
【００４０】
図５は、複合機１０が行うメイン処理を示している。ＣＰＵ１１は、本メイン処理を開始すると（Ｓｔａｒｔ）、操作表示部１７におけるモード選択ボタン（図２および図３参照）の押下を監視する（ステップＳ１０１；Ｎｏ〜ステップＳ１０１のループ）。モード選択ボタンの押下を受け付け（ステップＳ１０１；Ｙｅｓ）、それが真贋判別ボタンである場合には（ステップＳ１０２；Ｙｅｓ）、ＣＰＵ１１は、自動原稿送り装置７０の原稿トレイ７１（図４参照）に原稿がセットされているかを確認する（ステップＳ１０３）。原稿セットの確認は、原稿トレイ７１に設けられた原稿検知センサ７８から入力される検知信号に基づいて原稿送り装置制御部２０が原稿トレイ７１上の原稿の有無を把握しており、この通知を原稿送り装置制御部２０からＣＰＵ１１が受けることで行う。
【００４１】
原稿がセットされていない場合には（ステップＳ１０３；Ｎｏ）、ＣＰＵ１１は、自動原稿送り装置７０に原稿がセットされていない旨のエラーメッセージを操作表示部１７に表示し（ステップＳ１０４）、ステップＳ１０１に戻る。原稿がセットされている場合には（ステップＳ１０３；Ｙｅｓ）、ＣＰＵ１１は、複合機１０を真贋判別モードで動作させる。そして、自動原稿送り装置７０にセットされている原稿に対する真贋判別処理をサブルーチンで実行し（ステップＳ１０５）、真贋判別処理を終えると本メイン処理を終了する（Ｅｎｄ）。
【００４２】
また、押下されたモード選択ボタンが真贋判別ボタンではなく（ステップＳ１０２；Ｎｏ）、コピーボタンである場合には（ステップＳ１０６；Ｙｅｓ）、ＣＰＵ１１は、複合機１０をコピーモードで動作させる。なお、この場合もステップＳ１０３と同様の原稿セットの確認を行い、原稿がセットされていない場合には、ステップＳ１０４と同様のエラーメッセージの表示を行ってステップＳ１０１に戻り、原稿がセットされている場合に、複合機１０をコピーモードで動作させるようにしてもよい。コピーモードでは、自動原稿送り装置７０にセットされている原稿に対するコピー処理をサブルーチンで実行する（ステップＳ１０７）。そして、コピー処理を終えると本メイン処理を終了する（Ｅｎｄ）。
【００４３】
また、押下されたモード選択ボタンがコピーボタンでもない場合には（ステップＳ１０６；Ｎｏ）、ＣＰＵ１１は、複合機１０を選択されたモードで動作させる。そして、選択されたモードによる処理をサブルーチンで実行し（ステップＳ１０８）、この選択モード処理を終えると本メイン処理を終了する（Ｅｎｄ）。
【００４４】
図６は、上記のメイン処理におけるサブ処理となる真贋判別処理を示しており、図７は、上記のメイン処理におけるサブ処理となるコピー処理を示している。真贋判別処理は、メイン処理から直接移行して実行される場合と、コピー処理の途中で、連続してスキャンした原稿の画像が酷似していると判断された際に、モード切替アシスト機能によってコピーモードから真贋判別モードに切り替えられて実行される場合とがある。コピー処理は、メイン処理から直接移行して実行される場合と、真贋判別処理の途中で、連続してスキャンした原稿の画像が酷似していないと判断された際に、モード切替アシスト機能によって真贋判別モードからコピーモードに切り替えられて実行される場合とがある。
【００４５】
ここでは、先ず真贋判別処理の基本的な流れを説明し、次にコピー処理の流れを説明し、最後にコピーモードから真贋判別モードに切り替えられたときの真贋判別処理の流れを説明する。また、途中で図８に示す自動原稿送り装置７０の動作例や、図９および図１０に示す操作表示部１７の表示画面例を交えながら説明する。
【００４６】
［真贋判別処理の基本的な流れ］
ＣＰＵ１１は、図６に示す真贋判別処理を開始すると、モード切替アシスト機能によるコピーモードから真贋判別モードへの切り替えによって本サブ処理（真贋判別処理）を開始したかを確認する（ステップＳ１１１）。コピーモードにおけるコピー処理からの移行ではなく、メイン処理から直接移行して開始した場合には（ステップＳ１１１；Ｎｏ）、ＣＰＵ１１は、ユーザによるスタートボタン５５（図２および図３参照）の押下を受け付けると、原稿送り装置制御部２０を通じて、図８（Ａ）に示すように、自動原稿送り装置７０により原稿を給紙し、スキャナ部２１による原稿のスキャンを開始する（ステップＳ１１２）。続いてＣＰＵ１１は、スキャナ部２１から出力される原稿の画像データに基づいて原稿の真贋を判別する（ステップＳ１１３）。また、この画像データを不揮発メモリ１５またはハードディスク装置１６に記憶する。
【００４７】
原稿の真贋判別によって原紙を検知した場合には（ステップＳ１１５；Ｙｅｓ）、ＣＰＵ１１は、原稿送り装置制御部２０に対して自動原稿送り装置７０による原稿の給紙動作を停止させる指令を出す（ステップＳ１１６）。この指令を受けた原稿送り装置制御部２０は、自動原稿送り装置７０を制御して次の原稿の給紙を停止させる。
【００４８】
検知された原紙については、排紙するようにしてもよく、排紙の途中で停止させるようにしてもよい。なお、途中で停止させるように制御する場合でも、原紙の排出位置と停止制御のタイミングなどによっては途中で停止できずに排紙されてしまうことも起こり得る。原稿送り装置制御部２０は、原稿検知センサ７８から入力される検知信号に基づいて原紙の位置を確認し、ＣＰＵ１１に通知する。
【００４９】
たとえば、図８（Ｂ）に示すように、原紙が排出ローラ７７に挟まれた状態で停止し、完全に排紙されていない場合には（ステップＳ１１７；Ｎｏ）、ＣＰＵ１１は、原稿送り装置制御部２０からその通知を受け、自動原稿送り装置７０に挟まれている原稿が原紙である旨を操作表示部１７に表示したり、図示しないスピーカにより音声で出力したりして報知する（ステップＳ１１８）。
【００５０】
原紙の位置を操作表示部１７に表示して報知する場合には、図９に示すように、タッチパネルディスプレイ５０に原紙の位置を報知するメッセージ６０を表示し、更に確認ボタン６１を表示する（ステップＳ１１９）。メッセージ６０は、図示のように、「現在ＡＤＦに挟まっている原稿が原紙です！」などの原紙の位置を知らせるメッセージの他に、「確認ボタンを押すと原紙が排紙されます。」などの原紙の排紙方法に関するメッセージと、「（原紙とコピーが混ざらないよう  既に排紙されている紙を取り除いてから「確認」ボタンを押すことをお勧めします。）」などの原紙を排紙する際に推奨する操作手順に関するメッセージなどを含んだものである。
【００５１】
続いてＣＰＵ１１は、確認ボタン６１の押下、または、手動による原紙の取り出しの検知を監視する（ステップＳ１２０；Ｎｏ〜ステップＳ１２１；Ｎｏ〜ステップＳ１２０のループ）。確認ボタン６１が押下された場合には（ステップＳ１２０；Ｙｅｓ）、原稿送り装置制御部２０に対して原紙を排紙させる指令を出し（ステップＳ１２２）、ステップＳ１２４へ移行する。この指令を受けた原稿送り装置制御部２０は、自動原稿送り装置７０を制御して排出ローラ７７を回転させ、排出ローラ７７に挟まれている原紙を排出トレイ７９に排紙させる。手動による原紙の取り出しを検知した場合には（ステップＳ１２１；Ｙｅｓ）、ステップＳ１２４へ移行する。
【００５２】
原紙が排出トレイ７９に排紙されている場合には（ステップＳ１１７；Ｙｅｓ）、ＣＰＵ１１は、原稿送り装置制御部２０からその通知を受け、排紙済みの一番上の原稿が原紙である旨を操作表示部１７に表示したり、図示しないスピーカにより音声で出力したりして報知し（ステップＳ１２３）、ステップＳ１２４へ移行する。原紙の位置を操作表示部１７に表示して報知する場合には、図１０に示すように、タッチパネルディスプレイ５０に原紙の位置を報知するメッセージ６２を表示する。メッセージ６２は、たとえば図示のような、「原紙が発見されました！」、「排紙されている中で一番上の紙が原紙です。」などである。
【００５３】
続いてＣＰＵ１１は、自動原稿送り装置７０の原稿トレイ７１に原稿が残っているかを確認する（ステップＳ１２４）。残原稿の確認は、前述した原稿セットの確認と同様に、原稿トレイ７１に設けられた原稿検知センサ７８から入力される検知信号に基づいて原稿送り装置制御部２０が原稿トレイ７１上の原稿の有無を把握しており、この通知を原稿送り装置制御部２０からＣＰＵ１１が受けることで行う。
【００５４】
原稿が残っている場合には、図１０に例示した画面（タッチパネルディスプレイ５０）では、続行ボタン６３と終了ボタン６４も併せて表示する。さらにメッセージ６２には、「ＡＤＦに原稿が残っています。続けて原紙の検索を行う場合は「続行」ボタンを押してください。」などの原稿が残っていることを知らせたり、次の操作手順を説明したりするメッセージを追加する。また、図９に例示した画面の場合は、原紙の排紙後に、図１０に例示した続行ボタン６３と終了ボタン６４、および、上記の追加メッセージなどを表示した画面に切り替えるようにしてもよい。
【００５５】
自動原稿送り装置７０の原稿トレイ７１に原稿が残っていない場合には（ステップＳ１２４；Ｎｏ）、本サブ処理を終了してメイン処理に戻る（Ｒｅｔｕｒｎ）。原稿が残ってはいるが（ステップＳ１２４；Ｙｅｓ）、図１０に例示したような終了ボタン６４が押下された場合にも（ステップＳ１２５；Ｎｏ）、本サブ処理を終了してメイン処理に戻る（Ｒｅｔｕｒｎ）。図１０に例示したような続行ボタン６３が押下された場合には（ステップＳ１２５；Ｙｅｓ）、ステップ１１２へ戻り、次の原稿の給紙とスキャン（ステップＳ１１２）、真贋判別（ステップＳ１１３）、およびそれ以降の処理ステップ（ステップＳ１１５〜）を同様に行う。
【００５６】
また、原稿の真贋判別によって原紙を検知せず（ステップＳ１１５；Ｎｏ）、自動原稿送り装置７０の原稿トレイ７１に原稿が残っていない場合には（ステップＳ１２６；Ｎｏ）、ＣＰＵ１１は、原紙を検知しなかった旨を操作表示部１７に表示したり、図示しないスピーカにより音声で出力したりして報知し（ステップＳ１３４）、本サブ処理を終了してメイン処理に戻る（Ｒｅｔｕｒｎ）。ここで、残りの原稿に対して真贋判別を行い原紙を検知しなかった場合（ステップＳ１２５→ステップＳ１１２→  ・・・  →ステップＳ１２６→ステップＳ１３４の流れの場合）も同様に、残りの原稿の中から原紙を検知しなかった旨の報知を行い、本サブ処理を終了してメイン処理に戻る。
【００５７】
原稿が残っている場合には（ステップＳ１２６；Ｙｅｓ）、真贋判別モードからコピーモードへの切替アシスト機能による処理ステップへ移行する。ＣＰＵ１１は、先ず、コピーモードから真贋判別モードへの切り替えによって本サブ処理（真贋判別処理）を実行しているかを確認する（ステップＳ１２７）。コピーモードからの切り替えである場合には（ステップＳ１２７；Ｙｅｓ）、モード切替アシスト機能による処理ステップを抜けてステップ１１２へ戻り、原稿送り装置制御部２０を通じて自動原稿送り装置７０による次の原稿の給紙を行う。コピーモードからの切り替えでない場合には（ステップＳ１２７；Ｎｏ）、ＣＰＵ１１は、今回スキャンして真贋判別を行った原稿がスキャンを開始してから１枚目の原稿であるかを確認する（ステップＳ１２８）。
【００５８】
スキャン開始から１枚目の原稿である場合には（ステップＳ１２８；Ｙｅｓ）、モード切替アシスト機能による処理ステップを抜けてステップ１１２へ戻り、原稿送り装置制御部２０を通じて自動原稿送り装置７０による次の原稿の給紙を行う。２枚目以降の原稿である場合には（ステップＳ１２８；Ｎｏ）、ＣＰＵ１１は、今回の原稿の画像が前ページの原稿の画像と酷似するかを確認する（ステップＳ１２９）。この画像が酷似するかの確認は、前述したように、汎用のアルゴリズムを用いて対象となる２つの原稿の画像データの類似度を算出し、類似度が所定の閾値未満であれば画像が酷似していないと判断し、類似度が所定の閾値以上であれば画像が酷似していると判断するなどにより行う。
【００５９】
画像が酷似している場合には（ステップＳ１２９；Ｙｅｓ）、モード切替アシスト機能による処理ステップを抜けてステップ１１２へ戻り、原稿送り装置制御部２０を通じて自動原稿送り装置７０による次の原稿の給紙を行う。画像が酷似していない場合には（ステップＳ１２９；Ｎｏ）、ＣＰＵ１１は、今回実行している真贋判別処理において、以前に真贋判別モードからコピーモードへの切り替えが拒否されたかを確認する（ステップＳ１３０）。
【００６０】
コピーモードへの切り替えが拒否されている場合には（ステップＳ１３０；Ｙｅｓ）、モード切替アシスト機能による処理ステップを抜けてステップ１１２へ戻り、原稿送り装置制御部２０を通じて自動原稿送り装置７０による次の原稿の給紙を行う。コピーモードへの切り替えが拒否されていない場合には（ステップＳ１３０；Ｎｏ）、ＣＰＵ１１は、原稿送り装置制御部２０を通じて自動原稿送り装置７０による次の原稿の給紙を一時停止させ、ユーザに対してコピーモードへの切り替え確認を行う（ステップＳ１３１）。このコピーモードへの切り替え確認は、その旨を操作表示部１７に表示したり、図示しないスピーカにより音声で出力したりするなどにより行う。
【００６１】
ユーザからコピーモードへの切り替え操作を受け付けず、切り替えを拒否された場合には（ステップＳ１３２；Ｎｏ）、モード切替アシスト機能による処理ステップを抜けてステップ１１２へ戻り、原稿送り装置制御部２０を通じて自動原稿送り装置７０による次の原稿の給紙を行う。操作表示部１７のコピーボタン５４（図３参照）がユーザによって押下されるなどにより、コピーモードへの切り替え操作を受け付けた場合には、ＣＰＵ１１は、複合機１０を真贋判別モードからコピーモードに切り替え、図７に示すコピー処理へ移行する（ステップＳ１３３）。また、このモードの切り替え時には、原稿の給紙動作が一時停止した状態となっている。以上が、真贋判別処理の基本的な流れである。
【００６２】
［コピー処理の流れ］
ＣＰＵ１１は、図７に示すコピー処理を開始すると、モード切替アシスト機能による真贋判別モードからコピーモードへの切り替えによって本サブ処理（コピー処理）を開始したかを確認する（ステップＳ１４１）。真贋判別モードにおける真贋判別処理からの移行ではなく、メイン処理から直接移行して開始した場合には（ステップＳ１４１；Ｎｏ）、ＣＰＵ１１は、ユーザによるスタートボタン５５（図２および図３参照）の押下を受け付けると、原稿送り装置制御部２０を通じて自動原稿送り装置７０により原稿を給紙し、スキャナ部２１による原稿のスキャンを開始する（ステップＳ１４２（図８（Ａ）参照））。続いてＣＰＵ１１は、スキャナ部２１から出力される原稿の画像データを不揮発メモリ１５またはハードディスク装置１６に記憶し、コピーモードから真贋判別モードへの切替アシスト機能による処理ステップへ移行する。
【００６３】
ＣＰＵ１１は、先ず、今回スキャンを行った原稿がスキャンを開始してから１枚目の原稿であるかを確認する。スキャン開始から１枚目の原稿である場合には（ステップＳ１４３；Ｙｅｓ）、モード切替アシスト機能による処理ステップを抜けて、ＣＰＵ１１はこの原稿の画像データに対応する画像の印刷をプリンタ部２３に実行させ（ステップＳ１４９）、ステップＳ１５０へ移行する。２枚目以降の原稿である場合には（ステップＳ１４３；Ｎｏ）、ＣＰＵ１１は、今回スキャンを行った原稿の画像が前ページの原稿の画像と酷似するかを確認する（ステップＳ１４４）。
【００６４】
画像が酷似していない場合には（ステップＳ１４４；Ｎｏ）、モード切替アシスト機能による処理ステップを抜けて、ＣＰＵ１１はこの原稿の画像データに対応する画像の印刷をプリンタ部２３に実行させ（ステップＳ１４９）、ステップＳ１５０へ移行する。画像が酷似している場合には（ステップＳ１４４；Ｙｅｓ）、ＣＰＵ１１は、今回実行しているコピー処理において、以前にコピーモードから真贋判別モードへの切り替えが拒否されたかを確認する（ステップＳ１４５）。
【００６５】
真贋判別モードへの切り替えが拒否されている場合には（ステップＳ１４５；Ｙｅｓ）、モード切替アシスト機能による処理ステップを抜けて、ＣＰＵ１１はこの原稿の画像データに対応する画像の印刷をプリンタ部２３に実行させ（ステップＳ１４９）、ステップＳ１５０へ移行する。真贋判別モードへの切り替えが拒否されていない場合には（ステップＳ１４５；Ｎｏ）、ＣＰＵ１１は、原稿送り装置制御部２０を通じて自動原稿送り装置７０による次の原稿の給紙を一時停止させ、ユーザに対して真贋判別モードへの切り替え確認を行う（ステップＳ１４６）。この真贋判別モードへの切り替え確認は、その旨を操作表示部１７に表示したり、図示しないスピーカにより音声で出力したりするなどにより行う。
【００６６】
ユーザから真贋判別モードへの切り替え操作を受け付けず、切り替えを拒否された場合には（ステップＳ１４７；Ｎｏ）、モード切替アシスト機能による処理ステップを抜けて、ＣＰＵ１１はこの原稿の画像データに対応する画像の印刷をプリンタ部２３に実行させ（ステップＳ１４９）、ステップＳ１５０へ移行する。操作表示部１７の真贋判別ボタン５９（図３参照）がユーザによって押下されるなどにより、真贋判別モードへの切り替え操作を受け付けた場合には（ステップＳ１４７；Ｙｅｓ）、ＣＰＵ１１は、複合機１０をコピーモードから真贋判別モードに切り替え、前述した図６に示す真贋判別処理へ移行する（ステップＳ１４８）。また、このモードの切り替え時には、原稿の給紙動作が一時停止した状態となっている。
【００６７】
ステップＳ１５０では、ＣＰＵ１１は、自動原稿送り装置７０の原稿トレイ７１に原稿が残っているかを確認する。原稿が残っている場合には（ステップＳ１５０；Ｙｅｓ）、ステップＳ１４２へ戻り、次の原稿の給紙とスキャン（ステップＳ１４２）、およびそれ以降の処理ステップ（ステップＳ１４３〜）を同様に行う。原稿が残っていない場合には（ステップＳ１５０；Ｎｏ）、本サブ処理を終了してメイン処理に戻る（Ｒｅｔｕｒｎ）。
【００６８】
また、今回のコピー処理をメイン処理からの移行ではなく、モード切替アシスト機能による真贋判別モードからコピーモードへの切り替えにより真贋判別処理から移行して開始した場合には（ステップＳ１４１；Ｙｅｓ）、移行前の真贋判別処理で既にスキャンが行われている原稿が存在しており、スキャン済みの原稿の画像データが不揮発メモリ１５またはハードディスク装置１６に記憶されている。ＣＰＵ１１は、この不揮発メモリ１５またはハードディスク装置１６に記憶されているスキャン済み原稿の画像データに対応する画像の印刷をプリンタ部２３に実行させ（ステップＳ１４９）、自動原稿送り装置７０の原稿トレイ７１に原稿が残っているかを確認する（ステップＳ１５０）。
【００６９】
モード切替アシスト機能による真贋判別モードからコピーモードへの切り替えは、図６のステップＳ１２６〜ステップＳ１３３で説明したように、原稿が残っている状態で行われるため、ここでは原稿が残っていることが確認される（ステップＳ１５０；Ｙｅｓ）。続いてＣＰＵ１１は、真贋判別モードからコピーモードへの切り替え時に一時停止した原稿の給紙動作を再開し（ステップＳ１４２）、次の原稿の給紙とスキャンを行って画像データを取得し、不揮発メモリ１５またはハードディスク装置１６に記憶する。また、モード切替アシスト機能による真贋判別モードからコピーモードへの切り替えによってコピー処理を実行している場合には、ステップＳ１４２の次にステップＳ１４３へは移行せず、図示しない流れでステップＳ１４９へ移行し、今回スキャンした原稿の画像データに対応する画像の印刷をプリンタ部２３に実行させ（ステップＳ１４９）、ステップＳ１５０へ移行する。そして原稿がなくなるまで（ステップＳ１５０；Ｙｅｓ）、次の原稿の給紙とスキャン（ステップＳ１４２）、および印刷（ステップＳ１４９）を同様に繰り返す。原稿がなくなると（ステップＳ１５０；Ｎｏ）、本サブ処理を終了してメイン処理に戻る（Ｒｅｔｕｒｎ）。以上が、コピー処理の流れである。
【００７０】
［モード切り替え時の真贋判別処理の流れ］
図６に示す真贋判別処理において、今回の真贋判別処理をメイン処理からの移行ではなく、モード切替アシスト機能によるコピーモードから真贋判別モードへの切り替えによりコピー処理から移行して開始した場合には（ステップＳ１１１；Ｙｅｓ）、移行前のコピー処理で既にスキャンが行われている原稿が存在しており、スキャン済みの原稿の画像データが不揮発メモリ１５またはハードディスク装置１６に記憶されている。ＣＰＵ１１は、この不揮発メモリ１５またはハードディスク装置１６に記憶されているスキャン済み原稿の画像データに基づいて、そのスキャン済み原稿の真贋を判別する（ステップＳ１１４）。
【００７１】
たとえば、移行前のコピー処理でスキャン開始の１枚目と２枚目の原稿の画像が酷似していた場合のモード切り替えでは、その１枚目と２枚目の原稿の各画像データが記憶されている。また、移行前のコピー処理でスキャン開始の１枚目と２枚目、２枚目と３枚目の原稿の画像は酷似しておらず、３枚目と４枚目の原稿の画像が酷似していた場合のモード切り替えでは、その１枚目〜４枚目までの原稿の各画像データが記憶されている。このように、スキャン済み原稿の画像データとしては、少なくとも、画像が酷似している連続した２枚の原稿の各画像データを含む、複数の画像データが記憶されている。これに対し、スキャン済み原稿の真贋判別は、画像が酷似している連続した２枚の原稿のみを対象に行うようにしてもよく、全ての原稿を対象に行うようにしてもよい。全ての原稿を対象にする場合には、画像が酷似している連続した２枚の原稿の真贋判別、詳細には、その２枚のうちのいずれが原紙でいずれが複写物か、もしくは、２枚とも原紙であるか、もしくは、２枚とも複写物であるかといった判別に加えて、それ以外の原稿に対するそれぞれの真贋判別、すなわち、それ以外の原稿がそれぞれ原紙であるか複写物であるかといった判別が行われるようになる。
【００７２】
スキャン済み原稿に対する真贋判別によって原紙を検知した場合には（ステップＳ１１５；Ｙｅｓ）、ステップＳ１１６へ移行する。モード切替アシスト機能によるコピーモードから真贋判別モードへの切り替えは、原稿の給紙動作が一時停止した状態で行われており、ここでＣＰＵ１１は、原稿の給紙動作の一時停止状態を継続する（ステップＳ１１６）。またこの場合は、検知した原紙は既に自動原稿送り装置７０の排出トレイ７９に排紙されている（ステップＳ１１７；Ｙｅｓ）。ＣＰＵ１１は、その排紙済みの原紙の位置を操作表示部１７に表示したり、図示しないスピーカにより音声で出力したりして報知し（ステップＳ１２３）ステップＳ１２４へ移行する。
【００７３】
たとえば、排紙済みの一番上の原稿が原紙である場合には、その旨を報知する。操作表示部１７に表示して報知する場合で、自動原稿送り装置７０の原稿トレイ７１に原稿が残っている場合には、上述した図１０と同様の表示を行うなどしてもよい。
【００７４】
また、排紙済みの中の上からＮ番目の原稿が原紙である場合には、その旨を報知する。操作表示部１７に表示して報知する場合には、「排紙されている中で上からＮ番目の紙が原紙です。」などのメッセージを表示するようにしてもよい。また、このときも自動原稿送り装置７０の原稿トレイ７１に原稿が残っている場合には、図１０に例示した続行ボタン６３と終了ボタン６４、および追加メッセージなどを併せて表示するようにしてもよい。
【００７５】
また、原紙を複数枚検知した場合には、それぞれの原紙の位置を報知する。操作表示部１７に表示して報知する場合には、各原紙の位置を、排紙済みの一番上、排紙済みの中の上からＮ番目、排紙済みの一番下などの排紙位置を示す表現を適宜組み合わせたメッセージなどで表示するようにしてもよい。また、このときも自動原稿送り装置７０の原稿トレイ７１に原稿が残っている場合には、図１０に例示した続行ボタン６３と終了ボタン６４、および追加メッセージなどを併せて表示するようにしてもよい。
【００７６】
自動原稿送り装置７０の原稿トレイ７１に原稿が残っていない場合には（ステップＳ１２４；Ｎｏ）、本サブ処理を終了してメイン処理に戻る（Ｒｅｔｕｒｎ）。原稿が残ってはいるが（ステップＳ１２４；Ｙｅｓ）、上記の終了ボタンが押下されるなどした場合には（ステップＳ１２５；Ｎｏ）、本サブ処理を終了してメイン処理に戻る（Ｒｅｔｕｒｎ）。上記の続行ボタンが押下されるなどした場合には（ステップＳ１２５；Ｙｅｓ）、ステップ１１２へ戻る。そして、前述の真贋判別処理における基本的な流れで説明したように、次の原稿の給紙とスキャン（ステップＳ１１２）、真贋判別（ステップＳ１１３）、およびそれ以降の処理ステップ（ステップＳ１１５〜）を同様に行う。
【００７７】
また、スキャン済み原稿に対する真贋判別で原紙を検知せず（ステップＳ１１５；Ｎｏ）、自動原稿送り装置７０の原稿トレイ７１に原稿が残っていない場合には（ステップＳ１２６；Ｎｏ）、ＣＰＵ１１は、原紙を検知しなかった旨を報知し（ステップＳ１３４）、本サブ処理を終了してメイン処理に戻る（Ｒｅｔｕｒｎ）。
【００７８】
原稿が残っている場合には（ステップＳ１２６；Ｙｅｓ）、ＣＰＵ１１は、コピーモードから真贋判別モードへの切り替えによって今回の真贋判別処理を実行しているかを確認する（ステップＳ１２７）。この場合は、コピーモードからの切り替えであるため（ステップＳ１２７；Ｙｅｓ）、ステップ１１２へ戻り、次の原稿の給紙（コピーモードから真贋判別モードへの切り替え時に一時停止した原稿の給紙動作の再開）とスキャン（ステップＳ１１２）、真贋判別（ステップＳ１１３）、およびそれ以降の処理ステップ（ステップＳ１１５〜）を同様に行う。
【００７９】
このように、本実施の形態に係る複合機１０は、原稿を自動で給紙・搬送し真贋判別を行う構成において、原紙を検知した場合には自動原稿送り装置７０の動作を停止する。この動作停止によって、上述したように、次の原稿が給紙可能であっても給紙待ち状態となり（給紙一時停止）、検知された原紙は途中で停止（搬送一時停止）、あるいは、排出トレイ７９へ排出された状態となる（排出完了）。これにより、その検知（判別）された原紙の取り出しが容易になる。
【００８０】
また、自動原稿送り装置７０の動作停止によるその原紙の位置を報知することで、その原紙の位置が明確に分かるようになり、取り出し者の誤認識などが生じにくくなる。
【００８１】
原紙が途中で停止（排出完了前に停止）された場合には、その原紙は自動原稿送り装置７０に保持された状態（一対の排出ローラ７７に挟まれた状態）となり、排出トレイ７９上で他の原稿に混載されることはない。これにより、先に排出された他の原稿を排出トレイ７９上から取り除いた後に上記の原紙を排出するなどにより、他の原稿と原紙を分離して取り出すことができ、それらが排出トレイ７９上で混ざってしまい再び分かりにくくなるようなことを防止することができる。
【００８２】
また、本実施の形態では複合機１０に原稿の真贋判別を行う機能（真贋判別装置）を備える場合に、自動原稿送り装置７０を原稿の画像読み取り用と真贋判別用で兼用することにより、装置を小型かつ安価に構成することができる。
【００８３】
以上、本発明の実施の形態を図面によって説明してきたが、具体的な構成は実施の形態に示したものに限られるものではなく、本発明の要旨を逸脱しない範囲における変更や追加があっても本発明に含まれる。
【００８４】
たとえば、実施の形態で説明した真贋判別処理において、自動原稿送り装置７０による排出の途中で停止させた原紙を手動で取り出す場合に、その原紙の取り出しを検知すると（図６のステップＳ１２１）、確認ボタン６１が押下された場合と同様の制御を行うようにしてもよい（図６のステップＳ１２０およびＳ１２２）。すなわち、自動原稿送り装置７０の排出ローラ７７を回転させ、排出ローラ７７に挟まれている原紙を排出トレイ７９に排紙する制御を行うように構成してもよい。
【００８５】
また、実施の形態では原紙を排出の途中で停止させる（一部を排出させて停止させる）例を説明したが、自動原稿送り装置７０内で停止させるようにしてもよい。たとえば、上述した自動原稿送り装置７０においては、原稿の先端側を読み取って原紙と判別できた場合に直ちに搬送動作を停止することにより、そのような装置内での停止が可能である。
【００８６】
また、自動原稿送り装置７０の動作停止は原紙を検知した場合に限らず、複写物を検知した場合に行うように構成してもよい。すなわち、検知対象となる原紙または複写物が予め設定されており、その対象物を検知した場合に自動原稿送り装置７０の動作を停止するように構成してもよい。また、この検知対象の設定を変更できるように構成してもよい。
【００８７】
また、実施の形態に係る複合機１０ではタッチパネル式の操作表示部１７が操作部（選択部）と表示部の機能を兼ね備えているが、この操作部と表示部とは個別に構成するようにしてもよい。複合機１０におけるプリンタ部２２は、レーザ光に代えてＬＥＤ（Light Emitting Diode）で感光体ドラムを走査露光するＬＥＤプリンタなどの他の方式のプリンタとしてもよい。
【００８８】
また本発明の画像読取装置は、実施の形態で説明した複合機に限らず、スキャナ機や複写機などの他の画像読取装置にも適用可能である。
【符号の説明】
【００８９】
１０…複合機（ＭＦＰ）
１１…ＣＰＵ
１２…バス
１３…ＲＯＭ
１４…ＲＡＭ
１５…不揮発メモリ
１６…ハードディスク装置（ＨＤＤ）
１７…操作表示部
１８…ファクシミリ通信部
１９…ネットワーク通信部
２０…原稿送り装置制御部
２１…スキャナ部
２２…画像処理部
２３…プリンタ部
５０…タッチパネルディスプレイ
５１…プリンタボタン
５２…スキャナボタン
５３…ファクシミリボタン
５４…コピーボタン
５５…スタートボタン
５６…Scan to E-mailボタン
５７…Scan to ＦＴＰボタン
５８…Scan to ＢＯＸボタン
５９…真贋判別ボタン
６０…メッセージ
６１…確認ボタン
６２…メッセージ
６３…続行ボタン
６４…終了ボタン
７０…自動原稿送り装置
７１…原稿トレイ
７２…搬送通路
７３…ピックアップローラ
７４…フィードローラ
７５…リタードローラ
７６…搬送ローラ
７７…排出ローラ
７８…原稿検知センサ
７９…排出トレイ
Ｎ…原稿
Ｓ…読取位置
【図１】
2010220117.tif 000003
【図２】
2010220117.tif 000004
【図３】
2010220117.tif 000005
【図４】
2010220117.tif 000006
【図５】
2010220117.tif 000007
【図６】
2010220117.tif 000008
【図７】
2010220117.tif 000009
【図８】
2010220117.tif 000010
【図９】
2010220117.tif 000011
【図１０】
2010220117.tif 000012